(57)【要約】【課題】階段上にある壁に挟まれている空間を床又は階段として用いる。【解決手段】一対の壁１０間に備えられている階段における階上の床面１６ａから階段上の空間を床面１６ａに同面をなすように塞ぐ複数枚の仮設床板を一方の壁に、仮設床板の先端部支持する支承部を他方の壁に設けてある仮設床構造。一対の壁１０間に備えられている階段における階上の床面１６ａから、階段上にある壁１０に挟まれた空間に仮設する階段の段板３０を一方の壁に、倒し込まれる段板の先端部を支持する支承部１２を他方の壁１０に設けてある仮設階段構造。【選択図】図３
2007224562.tif 000002
【特許請求の範囲】
【請求項１】
一対の壁間に備えられている階段における階上の床面から、当該階段上の空間を該床面に同面をなすように塞ぐ複数枚の仮設床板を一方の壁に下端部を組み付けて起伏可能に設けてあり、倒し込まれる当該仮設床板の先端部を支持する支承部を他方の壁に設けてあることを特徴とする仮設床構造。
【請求項２】
一対の壁間に備えられている階段における階上の床面から、当該階段上にある壁に挟まれた空間に仮設される階段であって、前記床面から順次段状に上るように階段を構成する複数枚の段板が一方の壁に下端部を組み付けて起伏可能に設けてあり、倒し込まれる当該段板の先端部を支持する支承部を他方の壁に設けてあることを特徴とする仮設階段構造。
【発明の詳細な説明】
【技術分野】
【０００１】
この発明は、階段上にある吹き抜け等の空間を効果的に用いるようにした仮設床構造及び仮設階段構造の提供に関する。
【背景技術】
【０００２】
階段空間は多くの場合、吹き抜け状態に構成されていることが多く、階段上にある空間を行動スペースとして用いることはなかった。
【０００３】
かかる階段上の空間を当該階段上を塞ぐことによって用いるようにした階段蓋の自動開閉機構が特許文献１に示されている。
【０００４】
この特許文献１に示される階段蓋の自動開閉機構は、固定基床と天井との間の空間を上下に仕切る昇降自在な可動床を有する第１の室と、該第１の室に隣接して施工されるとともに前記固定基床よりも高い位置に配置された固定床を有する第２の室とにおける前記固定基床と固定床との間に施工された階段に対し、該階段の前記固定床側の降り口を閉鎖する階段蓋の自動開閉機構において、前記可動床によって揺動自在に支持されるとともに、該可動床の上昇位置への上昇、及び前記固定床と同レベルの下降位置への下降に伴って昇降する階段蓋と、該階投蓋と前記固定床とを連結するするとともに、前記可動床が前記上昇位置に配置されたときに前記階段蓋を前記階段の上方空間から退避させる一方、前記可動床が前記下降位置に配置されたときに前記階段の降り口を閉鎖して前記固定床と可動床とを連続させる連動機構とを備えた構成としてある。
【０００５】
また特許文献２では、階段の吹き抜け部の上方部分に収納部を設け、この収納部に出入りする手段として、廊下の床高さから収納郡の床高さに亘って積み重ねられた、直方体状の４段の収容箱からなる収容棚兼用階段を用意し、各段の収容箱を水平方向に各々案内するガイド部材を壁面に設置し、各段の収容箱の側面に設けたスライド係止部材をガイド部材に係止して各収容箱を支持させ、複数段の収容箱を垂直に積み重ねて収容箱を収容棚として使用する状態から、各収容箱をガイド部材に沿ってスライド移動させ、移動させた各収容箱を位置決め手段により階段状に位置決めし、各収容箱の上面板を踏み板として廊下から収納部に至る階投として使用する収納棚兼用階段を開示している。
【特許文献１】特開平９−３２８８５５
【特許文献２】特開２００２−２９４９６０
【発明の開示】
【発明が解決しようとする課題】
【０００６】
しかしながら、この特許文献１に示される階段蓋の自動開閉機構は、固定基床と天井との間の空間を上下に仕切る昇降自在な可動床を有する第１の室と、該第１の室に隣接して施工されるとともに前記固定基床よりも高い位置に配置された固定床を有する第２の室とにおける前記固定基床と固定床との間に施工された階段を塞ぐものであって、第１の室の床全体を上下方向に移動させる大がかりな設備を備えたものであって、一般的な住宅に適用し難いものであった。
【０００７】
また、特許文献２に示される収納棚兼用階段は、吹き抜け部の上方部分に設けた収納部に対して出入りする階段手段を廊下に沿って設けてあり、上り下りに用いられている階段空間や、この階段空間を構成する壁面や、この階段空間に連続して備えられている各種の空間、例えば、小屋裏等の空間を用いるものではなかった。
【０００８】
この発明は、上り下りに用いられている階段における階段空間を用いて、新たな動作空間を構成し、この新たな動作空間における行動を可能になすと共に、この動作空間に続く各種の空間を効率良く用い得るようにした仮設床構造及び仮設階段構造の提供を目的としている。
【課題を解決するための手段】
【０００９】
前記課題を解決するために仮設床構造の発明は、一対の壁間に備えられている階段における階上の床面から、当該階段上の空間を該床面に同面をなすように塞ぐ複数枚の仮設床板を一方の壁に下端部を組み付けて起伏可能に設けてあり、倒し込まれる当該仮設床板の先端部を支持する支承部を他方の壁に設けてあることを特徴とする仮設床構造としてある。
【００１０】
このように構成される仮設床構造にあっては、階段を構成している階段空間を通例の床面に連続する床面として活用し得ると共に、この仮設床面を通路手段として用いることによって階段に沿っている壁の上部側の壁面や当該壁で仕切られている各種収納室等を効率良く用いることができる。また、同様に、この仮設床面を通路として階段を構成している壁の上側方にある空間、例えば、小屋裏空間等を収納空間として効率良く用いることができる。
【００１１】
また、前記課題を解決するために仮設階段構造の発明は、一対の壁間に備えられている階段における階上の床面から、当該階段上にある壁に挟まれた空間に仮設される階段であって、前記床面から順次段状に上るように階段を構成する複数枚の段板が一方の壁に下端部を組み付けて起伏可能に設けてあり、倒し込まれる当該段板の先端部を支持する支承部を他方の壁に設けてあることを特徴とする仮設階段構造としてある。
【００１２】
このように構成される仮設階段構造にあっては、階段を構成している階段上の空間を活用して、さらに、上方に上がる手段としての階段を構成し、例えば、小屋裏収納室等に都合良く出入りし得る階段を構成することができる。
【発明の効果】
【００１３】
この発明に係る仮設床構造及び仮設階段構造は、階段上にある壁に挟まれている空間を効果的に用いて、この階段上にある空間を構成する壁間に仮設床板を架け渡し、また、当該階段上にある空間を構成する壁間に仮設段板を架け渡すことで、階段上にある空間を効率良く用いることができ、この壁に連続して備えられている各種収納空間等を有効に用いることができる。
【発明を実施するための最良の形態】
【００１４】
以下、図１〜図１４に基づいて、この発明を実施するための最良の形態に係る仮設床構造Ｗ及び仮設階段構造Ｗ’について説明する。
【００１５】
なお、ここで図１〜図７は当該発明を実施するための最良の形態に係る典型的な仮設床板構造Ｗを、図８〜図１４は当該発明を実施するための最良の形態に係る典型的な仮設階段構造Ｗ’を示しており、図１は当該仮設床構造Ｗの構成を断面で示しており、図２は、この仮設床板の収納状態を示す要部を断面して、図３は、これを一方の斜め上方から見て、図４は、これを他方の斜め上方から見て、図５は典型的な適用例を平断面の状態で、図６は、これを縦向きの断面で、図７は、これを向きを変えて縦向きの断面で示している。
また図８は当該仮設階段構造Ｗ’の構成を断面で示しており、図９は、この仮設段板の収納状態を示す要部を断面して、図１０は、これを一方の斜め上方から見て、図１１は、これを他方の斜め上方から見て、図１２は典型的な適用例を平断面の状態で、図１３は、これを縦向きの断面で、図１４は、これを向きを変えて縦向きの断面で示している。
【００１６】
まず、図１〜図７において示される当該発明を実施するための最良の形態に係る仮設床構造Ｗは、一対の壁１０間に備えられている階段１５における階上Ｘ’の床面１６ａから、当該階段１５上の空間を該床面１６ａに同面をなすように塞ぐ複数枚の仮設床板２０を一方の壁１０に下端部２０ａを組み付けて起伏可能に設けてあり、倒し込まれる当該仮設床板２０の先端部２０ｂを支持する支承部１２を他方の壁１０に設けてある。
【００１７】
なお、この仮設床構造Ｗは、壁１０間にある階段１５の上にある空間を利用しうるものであれば、いかなる態様に備えられていてもよく、また、いかなる形態の建造物に備えられていてもよい。また、この仮設床構造Ｗが、下階に設けてあっても、また上階に設けてあっても、さらに、これらの中間階に設けてあってもよく、階段の一部に設けてあっても、また、階段のすべてに設けてあってもよい。
【００１８】
このように構成される仮設床構造Ｗにあっては、階段１５を構成している階段空間を必要に応じて階段１５の階上Ｘ’の床面１６ａと同面をなすように当該床面１６ａ側から、一方の壁１０に起立状態に備えられている仮設床板２０を順次に他方の壁１０に向けて倒し込み、この仮設床板２０の先端部２０ｂを当該壁１０に備えられている支承部１２上に水平状態に載せ掛けて、階段１５上の空間を適宜塞ぎ、この仮設床板２０の架設された仮設床面１６ｂを階上Ｘ’の床面１６ａに連続した床面として各種の目的に用い得る居住空間の一部をなすようにしたり、この仮設床面１６ｂを通路として用いることによって、この仮設床面１６ｂの両側にある壁面や、当該壁面上にある空間、例えば、ロフト等を効果的に用いうるようにしたり、この仮設床面１６ｂを通路として両側にある壁を介して構成される各種収納室等に対して容易に出入りすることが可能とされ、従来用いることのできなかった、階段１５に沿っている壁１０の上方部にある空間の有効活用をなすことができる。
【００１９】
なお、前記階段１５における階上Ｘ’は、当該階段１５によって連絡される階上Ｘ’であれば、例えば、一般的な、２階建て、３階建て等において一つの階段１５で連絡される上階Ｘとしてあっても、これらの中間に各種収納室等を設け、この収納室等の天井上に床面１６ａを備える中間階を階段１５によって行き来し得る階上Ｘ’としてあっても、また、この中間階から更に階段によって行き来し得る上側に備えられた上階を階上Ｘ’としてあってもよい。
【００２０】
また、この一対の壁１０、１０間に備えられている階段１５における上方を、階上Ｘ’の床面１６ａに連続して同面の床面１６ｂとする仮設床板２０は、通例、前記壁１０の一方側に、その下端部２０ａを組み付けられて起立状態に支持されており、必要に応じて、当該支持を解いて、先端側２０ｂを他方の壁１０に備えられている支承部１２に向けて倒し込み、階段１５上にある空間を水平に塞ぐ構成としてあれば、いかなる組み付け形態であっても、また、いかなる支持手段による支持であってもよい。また、かかる仮設床板２０は、通例の床板の機能を備えたものであれば、いかなる素材によって構成してあっても、また、他方の壁の支承部に先端側を支承し得るように起伏可能に備えられているものであれば、いかなる板厚、板幅としてあってもよい。
【００２１】
ここに示される図示例は仮設床構造Ｗを備える住宅の一例であって、一階Ｆ１から階段５０によって上がり下り可能に設けられている２階Ｆ２を示しており、廊下１７から出入りされる一方側に居室Ｅを、他方の側に当該廊下１７から出入りし得る収納室Ａと居室Ｃとを階段１５を構成する通路を介して設けてある。この居室Ｂに出入りするための通路は居室Ｃとの間仕切り壁１０ｂと、収納室Ａとの間仕切り壁１０ａとで構成してあり、収納室Ａとの間仕切り壁が居室Ｂの全てを塞ぐことなく階段１５から居室Ｂ内に出入りし得る幅に設けてある。なお、この収納室Ａとの間の間仕切り壁１０ａは、居室Ｂにおいて手摺り壁１０ａ’を構成するようにしてある。
【００２２】
そして、この図示例の住宅にあっては、階段１５を居室Ｃとの間にある壁１０ｂと、収納室Ａとの間にあって、しかも、上部が手すり壁１０ａ’とされている壁１０ａとの間に設けてあり、この階段１５で収納室Ａ上にある居室Ｂに出入りし得るようにしてある。また、この図示例にかかる住宅では、この居室Ｂが小屋裏を一体に備えており、しかも、居室Ｃの天井裏空間にも連続する居住空間として構成してある。
【００２３】
このように構成される収納室Ａ上にある居室Ｂの床面１６ａ側から当該階段１５の出入り口側に向けて、この階段１５上の空間を塞ぐように当該居室Ｂの床面１６ａに同面をなすように仮設床板２０を倒し込み、この階段１５の上方にある空間を当該居室Ｂの床面１６ａと同面をなすように塞いで一連の床面を構成する。
【００２４】
ここで壁１０に備えられている仮設床板２０は、この床板２０を他方の壁１０に備えられている支承部１２に先端側２０ｂを支持されて当該階段１５上の空間を塞ぎ得る長さを備え、しかも、この階段１５上を塞ぐように備えられた仮設床板２０が通例の床面におけると同様の耐荷重を備えるものとしてあって、引き上げ、あるいは倒し込むために指かけ孔、取っ手、手かけ等の操作手段２２を備えた構成としてある。この図示例にあっては、操作手段２２としてケースハンドルを当該仮設床板２０の各面に設けてある。
【００２５】
かかる仮設床板２０は、一方の壁１０、この図示例にあっては上側を手摺り壁１０ａ’とした仕切り壁１０ａに起立状態に備えられており、その下端部２０ａを当該壁１０に対して回動可能に枢支してあり、この起伏可能に組み付けてある各仮設床板２０を他方の壁１０、この図示例にあっては間仕切り壁１０ｂに備えられている支承部１２に向けて倒し込み、水平の仮設床面１６ｂを構成した際に、この各仮設床板２０が互いに重なり合うことが無く、また、各仮設床板２０間に必要以上の隙間を生じないように壁１０に備え付けてある。
【００２６】
かかる仮設床板２０は、更に、具体的には、壁１０に設けられている凹部１１に当該仮設床板２０が納め入れられた状態で下端部２０ａを当該壁１０に軸等適宜の手段を用いて回動可能な枢支状態に組み付けて起伏可能としてある。この図示例にあっては、上枠材１１ｂ、側枠材と共に背板１１ａを受ける横架材上の下枠材１１ｃで凹部１１の下端が構成してあり、この下枠材１１ｃに蝶番２１によって起伏可能に組み付けてあると共に、この凹部１１内に起立状態収め入れられた状態で、当該背板１３ａ側に適宜の手段で係脱可能に掛止してある。この図示例にあっては、凹部１１内に起立状態で収め入れられた仮設床板２０の上面側に被吸着手段としての磁性板４１が設けてあり、背板１３ａに、この磁性板４１に吸着する永久磁石を備えたマグネットキャッチャー４２が設けてあって、仮設床板２０を起立させて当該凹部１１内に押し入れることによって仮設床板２０の先端部２０ｂ側がマグネットキャッチャー４２に吸引されて起立状態で支持され、すっきりとした階段空間を構成するようにしてある。
【００２７】
かかる仮設床板２０の架設される他方の壁１０、この図示例にあっては、間仕切り壁１０ｂに備えられている支承部１２は、当該仮設床板２０の先端部２０ｂを乗せかけて、これを受ける受け部１２ａを備えている。この図示例にあっては、当該仮設床板２０の先端部２０ｂが入り込み、かつ、これを支承する受け部１２ｂとして機能する下枠材１３ｃと当該下枠材１３ｃに向き合っている上枠材１３ｂ及び側枠材の内側に背板１３ａを張り込んで構成される凹部１３を備えた構成としてある。この図示例にあっては、仮設床板２０の先端部２０ｂが都合良く載せ掛けられて水平に支承される受け部１２ａとしての下枠材１３ｃを横架材上に備え、これにゴムシート等の緩衝材１２ａ’を貼り付けて仮設床板２０の落とし込み時の衝撃を和らげるように構成してある。
【００２８】
かかる構成からなる仮設床板２０を用いて前記階段１５上にある空間を居室Ｂの床面１６ａと同面をなす仮設床面１６ｂとして構成することで、この居室Ｂは、当該仮設床面１６ｂを含めて一体の居住空間として用いることができる。
【００２９】
また、この一体に構成される居室Ｂにおける仮設床面１６ｂを含めた床面を用いて、この居室Ｂに隣り合う居室Ｃにおける小屋裏空間Ｄを当該居室Ｂの全幅において用いることができる。
【００３０】
なお、かかる仮設床板２０は、随時、これを引き起こして壁１０の凹部１１内に起立状態に押し入れることで、塞いでいた階段空間を容易に解放して通例の階段１５として用いることができる。
【００３１】
ついで、図８〜図１４に示される当該発明を実施するための最良の形態に係る仮設階段構造Ｗ’について説明する。
【００３２】
この発明に係るの仮設階段構造Ｗ’は、一対の壁１０、１０間に備えられている階段１５における階上Ｘ’の床面１６ａから、当該階段１５上にある壁１０、１０に挟まれた空間に仮設される階段１８であって、前記床面１６ａから順次段状に上るように仮設階段１８を構成する複数枚の段板３０が一方の壁１０に下端部３０ａを組み付けて起伏可能に設けてあり、倒し込まれる当該段板３０の先端部３０ｂ支持する支承部１２を他方の壁１０に設けた構成としてある。
【００３３】
このように構成される仮設階段構造Ｗ’にあっては、階段１５を構成している階段上の空間を活用して、さらに、上方に上がる手段としての仮設階段１８を構成し、例えば、小屋裏空間Ｄを収納室として用いる際の出入り等に都合の良い仮設階段１８を構成することができる。
【００３４】
なお、この仮設階段構造Ｗ’は、壁１０間にある階段１５の上にある空間を利用しうるものであれば、いかなる態様に備えられていてもよく、また、いかなる形態の建造物に備えられていてもよい。また、この仮設階段構造Ｗ’が階段１５上の空間を活用支得るものであれば、中間階等、いかなる階に設けてあってもよい。
【００３５】
このように構成される仮設階段構造Ｗ’にあっては、階段１５の上方にある階段空間を有効に活用して、新たな通路としての仮設階段１８を容易に構成し、通例、梯子等による出入り等を余儀なくされていた小屋裏空間Ｄ等に対して、都合の良い昇降手段としての階段を提供するものであって、階段１５の階上Ｘ’の床面１６ａから、必要に応じて、一方の壁１０に起立状態に備えられている仮設段板３０を前記階段１５上に向けて、順次、段状に上がるように他方の壁１０に向けて倒し込み、この仮設段板３０の先端部３０ｂを当該壁１０に備えられている支承部１２上に水平状態に載せ掛けて、仮設階段１８を構成し、この仮設階段１８を通路として当該仮設階段１８の両側にある壁面や、当該壁面上にある空間、例えば、ロフト等を効果的に用いうるようにしたり、この仮設階段１８を通路として容易に、かつ、無理なく小屋裏空間Ｄ等に出入りすることができる。
【００３６】
なお、前記階段１５における階上Ｘ’は、当該階段１５によって連絡される上階Ｘとして、例えば、一般的な、２階建て、３階建て等において一つの階段１５で連絡される上階Ｘとしてあっても、これらの中間に各種収納室等を設け、この収納室等の天井上に床面１６ａを備える中間階を階段１５によって行き来し得る上階Ｘとしてあっても、また、この中間階から更に階段によって行き来し得る上側に備えられた上階としてあってもよい。
【００３７】
また、この一対の壁１０、１０間に備えられている階段１５における上方を用いて、階上Ｘ’の床面１６ａ側から、この階段１５上に、順次に上方に上がるように仮設階段１８を構成する仮設段板３０は、通例、前記壁１０の一方側に、その下端部３０ａを組み付けられて起立状態に支持されており、必要に応じて、当該支持を解いて、先端部３０ｂを他方の壁１０に備えられている支承部１２に向けて倒し込み、階段１５上にある空間に仮設階段１８を構成し得るものであれば、いかなる組み付け形態であっても、また、いかなる支持手段による支持であってもよい。また、かかる仮設段板３０は、通例の段板の機能を備えたものであれば、いかなる素材によって構成してあっても、また、他方の壁の支承部に先端部３０ｂを支承し得るように起伏可能に備えられているものであれば、いかなる板厚、板幅としてあってもよい。
【００３８】
この図示例は、２階に備えられている天井高さの低い収納室Ａの上に設けられている居室Ｂに出入りするための階段１５の設置空間上に仮設階段１８を設け、この居室Ｂから、更に、小屋裏に到る通路を当該階段１５の設置スペースを用いて構成してある。
【００３９】
この図示例では、仮設階段構造Ｗ’を備える住宅の一例として、階段５０によって一階Ｆ１から上がり下り可能に設けられている２階Ｆ２部分を示しており、廊下１７から出入りされる一方側に居室Ｅを、他方の側に当該廊下１７から出入りし得る収納室Ａと居室Ｃとを階段１５を構成する通路を介して設けてある。この居室Ｂに出入りするための通路は居室Ｃとの間仕切り壁１０ｂと、収納室Ａとの間仕切り壁１０ａとで構成してあり、収納室Ａとの間仕切り壁が居室Ｂの全てを塞ぐことなく階段１５から居室Ｂ内に出入りし得る幅に設けてある。なお、この収納室Ａとの間の間仕切り壁１０ａは、ほぼ小屋裏にまで延びるように設けてある。
【００４０】
そして、この図示例の住宅にあっては、階段１５を居室Ｃとの間にある壁１０ｂと、収納室Ａとの間にあって、しかも、上部が小屋裏にまで延びるように備えられている壁１０ａとの間に設けてあり、この階段１５で収納室Ａ上にある居室Ｂに出入りし得るようにしてある。また、この図示例にかかる住宅では、この居室Ｂが小屋裏を一体に備えており、しかも、居室Ｃの天井裏空間にも連続する居住空間として構成してある。
【００４１】
このように構成される収納室Ａ上にある居室Ｂの床面１６ａ側から当該階段１５における壁１０ａ，１０ｂ間にある空間に向けて、順次に段状に上がる仮設階段１８を構成するように仮設段板３０を倒し込み、壁１０、１０間にある階段１５の上方に当該床面１６ａから、更に、上方に上がり下りをすることのできる仮設階段１８を構成する。
【００４２】
ここで壁１０に備えられている仮設段板３０は、居室Ｂの床面１６ａの側から当該壁１０に、順次上方に向けて段状に上がるように、一定高さ毎に、例えば、仮設段板３０の後端上に、次の仮設段板３０の先端が位置するように、当該壁１０に備えてあり、この壁１０に向きあっている壁１０に当該各仮設段板３０を水平状態で受けるように同様の態様で備えられている支承部１２に先端部３０ｂを支持されて当該階段１５上の空間に仮設階段１８を構成し得る長さを備え、しかも、この仮設段板３０が通例の階段における段板と同様の耐荷重を備えるものとしてあり、引き上げ、あるいは倒し込むために指かけ孔、取っ手、手かけ等の操作手段３２を備えた構成としてあり、この図示例にあっては、ケースハンドルを当該仮設段板３０の各面に設けてある。
【００４３】
かかる仮設段板３０は、一方の壁１０、この図示例にあっては天井裏に延びる仕切り壁１０ａに起立状態に備えられており、その下端部３０ａを当該壁１０に対して回動可能に枢支してあり、この枢支位置を回動軸線として起伏可能に組み付けてあり、この各仮設段板３０を他方の壁１０、この図示例にあっては間仕切り壁１０ｂに備えられている支承部１２に向けて倒し込み、階段における水平な各段板を構成した際に、この各仮設段板３０が階段として都合の良い蹴上げ高さと、都合の良い踏み面幅とを備えるように壁１０に備え付けてある。
【００４４】
かかる仮設段板３０は、更に、具体的には、壁１０に設けられている凹部１１に当該仮設段板３０が納め入れられた状態で下端部３０ａを当該壁１０に軸などの適宜の枢着手段によって枢支状態で回動可能に組み付けて起伏可能としてある。この図示例にあっては、壁１０に対して上枠材１１ｂと下枠材１１ｃと背板１１ａ及び側枠材とで構成する凹部１１における下枠材１１ｃに対して当該仮設段板３０の下端部３０ａを蝶番３１で起伏可能に組み付けてあると共に、この凹部１１内に起立状態に収め入れられた状態で、当該壁側に適宜の手段で係脱可能に掛止してある。この図示例にあっては、凹部１１内に起立状態で収め入れられた仮設段板３０の上面側に被吸着手段としての磁性板４１が設けてあり、凹部１１内の背板１１ａに、この磁性板４１に吸着する永久磁石を備えたマグネットキャッチャー４２が設けてあって、仮設段板３０を起立させて当該凹部１１内に押し入れることによって仮設段板３０の先端部３０ｂ側がマグネットキャッチャー４２に吸引されて起立状態で支持され、すっきりとした階段空間を構成するようにしてある。
【００４５】
かかる仮設段板３０の架設される他方の壁１０、この図示例にあっては、間仕切り壁１０ｂに備えられている支承部１２は、前記各仮設段板３０に各別に対応して向き合うように順次上方に位置づけられる当該仮設段板３０の先端部３０ｂを乗せかけ得るように床面１６ａ側から、順次段状に上がった位置毎に設けてあり、個別に仮設段板３０の先端部３０ｂを受ける受け部１２ａを備える構成としてある。この図示例にあっては、当該仮設段板３０の先端部３０ｂが入り込み、かつ、これを支承する受け部１２ｂとして機能する下枠材１３ｃと当該下枠材１３ｃに向き合っている上枠材１３ｂ及び側枠材の内側に背板１３ａを張り込んで構成される凹部１３を備えた構成としてある。この図示例にあっては、仮設段板３０の先端部３０ｂが都合良く載せ掛けられて水平に支承される受け部１２ａとしての下枠材１３ｃを壁１０に備え、これにゴムシート等の緩衝材１２ａ’を貼り付けて仮設段板３０の落とし込み時の衝撃を和らげるように構成してある。
【００４６】
かかる構成からなる仮設段板３０を用いて前記階段１５上にある壁１０、１０間の空間に仮設階段１８を随時、必要に応じて設け、当該居室Ｂから、更に上方に向けて上がりながら壁１０の壁面を利用したり、居室Ｃ上にある空間に対して容易に出入りすることができる。
【００４７】
なお、かかる仮設段板３０は、随時、これを引き起こして壁１０の凹部１１内に起立状態に押し入れることで、塞いでいた階段空間を容易に解放して通例の階段１５として用いることができる。
【図面の簡単な説明】
【００４８】
【図１】典型的な仮設床構造を備える建物の要部の断面図
【図２】同要部の拡大断面図
【図３】同要部の斜視図
【図４】同他の向きから見た斜視図
【図５】同平断面図
【図６】同縦断面図
【図７】同他の向きにおける縦断面図
【図８】典型的な仮設階段構造を備える建物の要部の断面図
【図９】同要部の拡大断面図
【図１０】同要部の斜視図
【図１１】同他の向きから見た要部の斜視図
【図１２】同平断面図
【図１３】同縦断面図
【図１４】同他の向きにおける縦断面図
【符号の説明】
【００４９】
１０  壁
１５  階段
１６ａ  床面
１６ｂ  仮設床面
１８  仮設階段
２０  仮設床板
２０ａ  下端部
２０ｂ  先端部
３０  仮設段板
３０ａ  下端部
３０ｂ  先端部
Ｘ’  階上  
【図１】
2007224562.tif 000003
【図２】
2007224562.tif 000004
【図３】
2007224562.tif 000005
【図４】
2007224562.tif 000006
【図５】
2007224562.tif 000007
【図６】
2007224562.tif 000008
【図７】
2007224562.tif 000009
【図８】
2007224562.tif 000010
【図９】
2007224562.tif 000011
【図１０】
2007224562.tif 000012
【図１１】
2007224562.tif 000013
【図１２】
2007224562.tif 000014
【図１３】
2007224562.tif 000015
【図１４】
2007224562.tif 000016